(57)【要約】【課題】  ＬＥＤ照明装置において、任意の照射領域を含めて広範囲にわたって効率良く照明できるようにする。【解決手段】  固定照明部３は、支持部１に固定された長尺状の第１の基板３ａに複数のＬＥＤ３ｂを配列して形成されている。回転照明部５は、固定照明部３と並行に支持された長尺状の第２の基板５ｂに複数のＬＥＤ５ｃを配列して形成されている。回転照明部５は、第２の基板５ｂの長手方向を回転軸にして支持部１に回転可能に支持されている。【選択図】  図１
2011228109.tif 000002
【特許請求の範囲】
【請求項１】
支持部と、
この支持部に固定された長尺状の第１の基板に複数のＬＥＤが配列された固定照明部と、
前記支持部に前記固定照明部と並行に支持された長尺状の第２の基板に複数のＬＥＤが配列された照明部であって、前記第２の基板の長手方向を回転軸にして回転可能に支持された回転照明部と、
を具備することを特徴とするＬＥＤ照明装置。
【請求項２】
前記固定照明部は、長尺状の前記支持部としての支持基台に重ねるようにして載置固定され、前記回転照明部は、前記支持基台の長手方向両端部側にて回転可能に支持された請求項１記載のＬＥＤ照明装置。
【請求項３】
前記回転照明部は、前記支持基台の長手方向両端部側に固定された両端支持板に回転可能に支持された請求項２記載のＬＥＤ照明装置。
【請求項４】
前記回転照明部は、前記両端支持板にこの外側から挿入された支持軸に回転可能に軸支された請求項３記載のＬＥＤ照明装置。
【請求項５】
前記支持軸には前記回転照明部を回転させる操作部が配置されてなる請求項４記載のＬＥＤ照明装置。
【発明の詳細な説明】
【技術分野】
【０００１】
本発明はＬＥＤ照明装置に係り、商品陳列棚に配置して好適するＬＥＤ照明装置の改良に関する。
【背景技術】
【０００２】
近年、ＬＥＤ（発光ダイオード：Light Emitting Diode）を照明発光源として用いた照明装置が普及し始めている。
【０００３】
そのＬＥＤを用いた例えば商品陳列棚用の照明装置は、細長い絶縁基板上に所定の間隔で多数のＬＥＤを配列して電気的に直列接続して発光させる構成が知れられている。
【０００４】
ところが、ＬＥＤは発光光が直線的に放射され易いうえ、ＬＥＤ自体がチップ状の小形のものであるから、多数のＬＥＤを配列して発光させても装置全体からの光の照射面が特定の領域に限定されて狭くなりがちで、広範囲にわたって効率良く照明を施すには、工夫が必要である。
【０００５】
特に、商品陳列棚においては、従来から長尺状の蛍光管が多用されており、可能な限り商品陳列棚に変更を加えずに蛍光管の代用として使用する要望が多く、長尺状のＬＥＤ照明装置において広範囲にわたる照明の確保が重要である。
【０００６】
そこで、例えば実用新案登録第３１４７５４７号公報（特許文献１）のＬＥＤ照明灯の回転固定装置が提案されている。
【０００７】
この特許文献１は、多数個のＬＥＤが直線状に配列された照明灯本体と、この照明灯本体の両端部にそれぞれ設けられた一対のブラケットとを具備したＬＥＤ照明灯の回転固定装置であって、その照明灯本体の一端部と、その一対のブラケットのうちのいずれか一方のブラケットとの間に磁性体を介在させた構成を有し、照明灯本体を３６０度回転可能にするだけでなく、照明灯本体を所望する照射角度に安定して固定維持することを容易にしたものである。
【先行技術文献】
【特許文献】
【０００８】
【特許文献１】実用新案登録第３１４７５４７号公報
【発明の概要】
【発明が解決しようとする課題】
【０００９】
しかしながら、上述した特許文献１では、照明灯本体を３６０度回転可能にして広範囲の照明が可能であるが、多数個のＬＥＤが直線状に配列された照明灯本体を回転させて一時的に固定保持することによって照明灯本体に面する領域が照射されるのみで、広範囲の任意領域を効率良く照明するには、改良の余地がある。
【００１０】
本発明はそのような課題を解決するためになされたもので、任意の照射領域を含めて広範囲にわたって効率良く照明することが容易なＬＥＤ照明装置を目的とする。
【課題を解決するための手段】
【００１１】
そのような課題を解決するために本発明の請求項１に係るＬＥＤ照明装置は、支持部と、この支持部に固定された長尺状の第１の基板に複数のＬＥＤが配列された固定照明部と、その支持部に固定照明部と並行に支持された長尺状の第２の基板に複数のＬＥＤが配列された照明部であって、その第２の基板の長手方向を回転軸にして回転可能に支持された回転照明部と、を具備している。
【００１２】
本発明の請求項２に係るＬＥＤ照明装置は、上記固定照明部が、長尺状の支持部としての支持基台に重ねるようにして載置固定され、上記回転照明部が、その支持基台の長手方向両端部側にて回転可能に支持された構成である。
【００１３】
本発明の請求項３に係るＬＥＤ照明装置は、上記回転照明部が、その支持基台の長手方向両端部側に固定された両端支持板に回転可能に支持された構成である。
【００１４】
本発明の請求項４に係るＬＥＤ照明装置は、上記回転照明部が、その両端支持板にこの外側から挿入された支持軸に回転可能に軸支された構成である。
【００１５】
本発明の請求項５に係るＬＥＤ照明装置は、上記支持軸には回転照明部を回転させる操作部が配置されてなる構成である。
【発明の効果】
【００１６】
このような本発明の請求項１に係るＬＥＤ照明装置では、支持部に固定された長尺状の第１の基板に複数のＬＥＤが配列された固定照明部と、その支持部に固定照明部と並行に支持された長尺状の第２の基板に複数のＬＥＤが配列された回転照明部と有し、この回転照明部がその第２の基板の長手方向を回転軸にして回転可能に支持されてなるから、任意の照射領域を含めて広範囲にわたって効率良く照明を施すことが容易である。
【００１７】
本発明の請求項２に係るＬＥＤ照明装置では、上記固定照明部が、長尺状の支持部としての支持基台に重ねるようにして載置固定され、上記回転照明部が、その支持基台の長手方向両端部側にて回転可能に支持されているから、固定照明部の載置固定や回転照明部の回転支持が容易で、組み立ても簡単である。
【００１８】
本発明の請求項３に係るＬＥＤ照明装置では、支持基台の長手方向両端部側に固定された両端支持板に回転照明部が回転可能に支持されているから、回転照明部の組み立てが一層簡単である。
【００１９】
本発明の請求項４に係るＬＥＤ照明装置では、その両端支持板に外側から挿入された支持軸に回転照明部が軸支されているから、回転照明部の組み立てがより一層簡単である。
【００２０】
本発明の請求項５に係るＬＥＤ照明装置では、回転照明部を軸支する支持軸に回転照明部の回転用操作部が配置されているから、回転照明部の回転用操作が容易である。
【図面の簡単な説明】
【００２１】
【図１】本発明に係るＬＥＤ照明装置の実施の形態を示す概略外観図である。
【図２】図１の支持部を示す側面図（図１中のII−II間側面）である。
【図３】本発明に係るＬＥＤ照明装置を説明する要部分解斜視図である。
【図４】本発明に係るＬＥＤ照明装置の回路図である。
【図５】図１のＬＥＤ照明装置の外観を示す外観斜視図（一部破断して示す。）である。
【図６】本発明のＬＥＤ照明装置の使用例を説明する要部外観斜視図（一部破断して示す。）である。
【発明を実施するための最良の形態】
【００２２】
以下、本発明に係るＬＥＤ照明装置の実施の形態を図面を参照して説明する。
【００２３】
図１は本発明に係るＬＥＤ照明装置の概略を示す概略外観図である。
【００２４】
図１において、支持部１は、耐熱性材料、例えばアルミニウム材料から長尺状にフレーム成形加工されてなり、固定照明部３および回転照明部５を支持するとともに、電源部７を収納保持している。
【００２５】
支持部１は、図２に示すような横断面形状を有し、支持板体１ａから複数の立ち壁１ｂ、１ｃ、１ｄが支持部１の長手方向に沿って一体的に立設され、横断面における一方の端（図２中右端）に立ち壁１ｂ、１ｃで挟まれた凹溝１ｅが形成され、この凹溝１ｅに併設されるように頂部が平らな台形状の支持基台１ｆが形成され、この支持基台１ｆから他方の端側（図２中左端）には空所１ｇが形成されている。
【００２６】
支持基台１ｆの両端部において、その頂部内側には挿入孔１ｈが軸を揃えて形成されている。左側の挿入孔は図示されていない。
【００２７】
図２は支持部１を例えば図１の右端から右側を見た状態を図示しており、左端部は右端部と対称であって実質同様である。
【００２８】
固定照明部３は、支持基台１ｆの頂部と同幅で長手方向と同長を有する細長い絶縁性の第１の基板３ａと、この第１の基板３ａの長手方向に所定の間隔を置いて１列状態で配列されたチップ状の複数のＬＥＤ３ｂを有し、公知に手法によって支持基台１ｆの頂部に載置固定されている。
【００２９】
複数のＬＥＤ３ｂは、第１の基板３ａに形成された回路パターン（図示せず。）によって電気的に直列接続されている（後述する図４参照）。回路パターンは支持部１に対して絶縁状態になっている。
【００３０】
回転照明部５は、支持基台１ｆの脇の空所１ｇに配置された細長い耐熱板、例えばアルミニウム板からなる回転板５ａと、この回転板５ａと同形状の細長い絶縁性の第２の基板５ｂと、この第２の基板５ｂの長手方向に所定の間隔を置いて１列状態で配列されたチップ状の複数のＬＥＤ５ｃを有し、固定照明部３の第１の基板３ａと間隔をおいて平行な位置関係で、後述する手法によって支持基台１ｆに回転可能に支持されている。
【００３１】
回転板５ａは、第１の基板３ａとほぼ同形状であり、ＬＥＤ５ｃの配列面との対向面（図中下面）における両端部に、挿入孔５ｄが長手方向に形成されている。この挿入孔５ｄが、後述するように回転照明部５の回転軸を形成する。左側の挿入孔は図示されていない。
【００３２】
複数のＬＥＤ５ｃは、第２の基板５ｂに形成された回路パターン（図示せず。）によって電気的に直列接続されている（後述する図４参照）。その回路パターンも支持部１に対して絶縁状態になっている。
【００３３】
支持部１の両端部は、図３に示すように、支持基台１ｆおよび空所１ｇを塞ぐように絶縁性の端部支持板９が配置されるとともに、端部支持板９が左右から回転板５ａ又は第２の基板５ｂを挟むようにこれに圧接しており、端部支持板９には、上述した挿入孔１ｈ、５ｄに揃う位置に挿通孔９ａ、９ｂが貫通形成されている。
【００３４】
なお、挿通孔９ａは隠れて見えない。左側の端部支持板９も同様である。
【００３５】
支持部１の両端部には、端部カバー１１が空所１ｇ、固定照明部３および回転照明部５の端部、並びに端部支持板９を覆うように圧入されている。左側の端部カバー１１も同様である。
【００３６】
端部カバー１１には、挿入孔１ｈ、５ｄおよび挿通孔９ａ、９ｂに揃う位置にねじ１３および支持軸１５が差し込まれる差込孔１１ａ、１１ｂが貫通形成されるとともに、支持部１の凹溝１ｅに嵌る細長い収納部１１ｃが形成されている。
【００３７】
端部カバー１１は、左右の両端部において、収納部１１ｃを凹溝１ｅにはめ込むようにして支持部１の両端部に圧入され、ねじ１３を差込孔１１ａおよび挿通孔９ａから挿入孔１ｈにねじ込んで支持部１に固定されている。
【００３８】
支持軸１５は、支持部１の両端部において、差込孔１１ｂおよび挿通孔９ｂから挿入孔５ｄにねじ込まれ、回転照明部５が支持部１の空所１ｇにて支持軸１５を回転軸にして回転可能に支持されている。
【００３９】
支持軸１５には操作部としての摘み１７が形成されており、摘み１７を回転させることにより、回転照明部５（第２の基板５ｂ）を容易に回転させることが可能である。
【００４０】
端部カバー１１の収納部１１ｃには、詳細な図示はしないが、例えば電源部７から固定照明部３や回転照明部５へのコード等が収納される。
【００４１】
電源部７は、図４に示すように、例えば１００Ｖの商用交流電源を整流、平滑して直流電源を生成し、これを上述した第１の基板３ａの両端のＬＥＤ３ｂおよび第２の基板５の両端のＬＥＤ５ｃに印加するものである。
【００４２】
なお、電源部７と第１および第２の基板３ａ、３ｂとの間の接続状態の図示は省略した。
【００４３】
このようなＬＥＤ照明装置は、例えば図５に示すように、左右の端部カバー１１間において、固定照明部３および回転照明部５を覆うように、透明又は半透明の透過性樹脂による本体カバー１９を支持部１に被せるとともに、支持部１の凹溝１ｅを蓋体２１で塞いで製品化される。
【００４４】
そして、商用交流電源から電源部７を介して固定照明部３および回転照明部５、すなわち第１および第２の基板３ａ、３ｂに駆動電源を供給印加すれば、固定照明部３のＬＥＤ３ｂが発光して第１の基板３ａに直交する方向（図中上方向）に光を照射する一方、回転照明部５のＬＥＤ５ｃも発光して第２の基板５ｂに直交する方向に光を照射する。
【００４５】
回転照明部５は、図６の矢符で示すように、摘み１７を回転させることにより、固定照明部３とは異なり、任意の方面に向けることが可能であるから、任意の方面に光を照射させることが可能である。
【００４６】
しかも、端部支持板９が回転板５ａ（第２の基板５ｂ）の端面に圧接しているから、摘み１７による回転操作を止めれば、摩擦力によって回転照明部５がその位置で保持される。
【００４７】
このように、本発明のＬＥＤ照明装置は、長尺状の支持部１と、この支持部１に重ねるようにして載置固定された長尺状の第１の基板３ａに複数のＬＥＤ３ｂが配列された固定照明部３と、その支持部１に固定照明部３と並行に支持された長尺状の第２の基板５ｂに複数のＬＥＤ５ｃが配列された回転照明部５を有し、この回転照明部５がその支持部１の長手方向両端部側にて回転可能に支持され、第２の基板５ｂの長手方向を回転軸にして回転可能に支持されている。
【００４８】
そのため、固定照明部３のＬＥＤ３ｂからの発光光が第１の基板３ａに直交する方向に照射される一方、回転照明部５のＬＥＤ５ｃからの発光光が第２の基板５ｂに直交する方向に独立して照射されるとともに、回転照明部５を回転させて一次的にその位置で固定支持させれば、固定した照射方向と任意の照射方向を含めて広範囲にわたって効率良く照明することが可能である。
【００４９】
しかも、固定照明部３の載置固定や回転照明部５の回転支持が容易で、組み立ても簡単である。
【００５０】
また、支持部１の長手方向両端部側に固定された両端支持板９によって回転照明部５が回転可能に支持されているから、回転照明部５の組み立てが一層簡単である。
【００５１】
さらに、その両端支持板９に外側から挿入された支持軸１５に回転照明部５が軸支されているから、回転照明部５の組み立てがより一層簡単であるし、回転照明部５を軸支する支持軸１５に回転照明部５の回転用摘み１７が配置されているから、回転照明部５を回転操作し易い。
【００５２】
回転照明部５を回転操作する操作部としては、回転用摘み１７に限定されず、レバー（図示せず。）その他任意である。
【００５３】
また、回転操作する回転照明部５の回転角度は任意であり、支持基台１ｆの空所１ｇを大きくするとともに、固定照明部３を回転照明部５からある程度離せば、ほぼ１回転させることも可能であるが、固定照明部３に対して回転照明部５を約１５０°〜２５０°程度で回転範囲を確保すれば、商品陳列棚での使用に好適するであろう。
【００５４】
なお、上述した本発明のＬＥＤ照明装置は、回転板５ａを回転可能に支持板体１ａを介して支持部１に支持させ、その回転板５ａに第２の基板５ｂを固定してこれも回転可能に支持させた構成であったが、第２の基板５ｂ自体を支持板体１ａを介して支持部１に回転可能に支持させる構成も可能である。
【符号の説明】
【００５５】
１  支持部
１ａ  支持板体
１ｂ、１ｃ、１ｄ  立ち壁
１ｅ  凹溝
１ｆ  支持基台
１ｇ  空所
１ｈ、５ｄ  挿入孔
３  固定照明部
３ａ  第１の基板
３ｂ、５ｃ  ＬＥＤ
５  回転照明部
５ａ  回転板
５ｂ  第２の基板
７  電源部
９  端部支持板
９ａ、９ｂ  挿通孔
１１  端部カバー
１１ａ、１１ｂ  差込孔
１１ｃ  収納部
１３  ねじ
１５  支持軸
１７  摘み（操作部）
１９  本体カバー
２１  蓋体
【図１】
2011228109.tif 000003
【図２】
2011228109.tif 000004
【図３】
2011228109.tif 000005
【図４】
2011228109.tif 000006
【図５】
2011228109.tif 000007
【図６】
2011228109.tif 000008